(57)【要約】  【課題】電路における再閉路機能付回路遮断器の設置にあたり，電路への配線接続を簡易なものとして，配線作業性，取付け作業性を向上させるとともに，配線間違いに起因する不要動作の発生や故障を防止することが可能な再閉路機能付回路遮断器を提供すること。  【解決手段】回路遮断器が電路に流れる異常電流や漏電電流もしくは雷サージ等により，該回路遮断器の接点開動作により電路が開路した場合には，再び回路遮断器の接点装置を閉状態にせしめるよう回路遮断器の操作ハンドルに作用して再閉路動作を行う再閉路制御部を，筐体内において電路に接続され電源を取得する電源部と，該電源部から電源を取得するよう接続されてハンドル作用部を駆動するよう設けられるモーター部と，該電源部から電源を取得するよう接続されて，予め設定された所定の動作条件に合致する場合にはモーター部に駆動信号を出力する演算部とを含んで構成されることを特徴として再閉路機能付回路遮断器を提供した。  【選択図】図１
2006156070.tif 000002
【特許請求の範囲】
【請求項１】
電路に介在し，ケースと，ケースの開口部を覆うよう開閉自在に取付けられる扉とからなる筐体に，
電路を構成する電線の入線孔及び出線孔を設け，
該筐体内には該入線孔から入線される電線と，出線孔から出線される電線の各々の端部を接続する端子部を有するとともに，電路を入切する接点装置と，該接点装置に作用し接点装置の開閉操作を行う開閉機構と，開閉機構に作用し接点装置の開閉操作を行う操作部を有する操作ハンドルと，開閉機構と連動し接点装置の開閉状態及び開閉機構の入または切及びトリップ状態を検出する補助スイッチからなる動作状態検出手段と，を含んで構成される回路遮断器と，
該回路遮断器が電路に流れる異常電流や漏電電流もしくは雷サージ等により，該回路遮断器の接点開動作により電路が開路した場合に，前記動作状態検出手段から出力される出力信号を受けて再び回路遮断器の接点装置を閉状態にせしめるよう前記操作ハンドルに作用し再閉路動作を行うハンドル作用部が設けられ，
該ハンドル作用部の動作を制御する制御部においては，
前記筐体内において電路に接続され電源を取得する電源部と，
該電源部から電源を取得するよう接続されるとともに前記ハンドル作用部を駆動するよう設けられ該ハンドル作用部に作用するモーター部と，
該電源部から電源を取得するよう接続され前記動作状態検出手段から出力される出力信号を受信するとともに，予め設定された所定の動作条件に合致する場合には操作ハンドルに作用するハンドル作用部を駆動するモーター部に駆動信号を出力する演算部と，
を含んでなる回路遮断器再投入手段と，
から構成されることを特徴とする再閉路機能付回路遮断器。
【請求項２】
前記再閉路機能付回路遮断器は４００Ｖ配電路に介在して設けられることを特徴とする請求項１記載の再閉路機能付回路遮断器。
【請求項３】
前記筐体の背面には，柱体に再閉路機能付回路遮断器を取付ける柱体取付け手段を設け，柱体に取付けられて使用されることを特徴とする請求項１記載，又は請求項２記載の再閉路機能付回路遮断器。
【発明の詳細な説明】
【技術分野】
【０００１】
本件の発明は，電路に接続された回路遮断器が過電流や漏電電流，雷サージ等により開路動作した場合に，回路遮断器を自動的に閉路状態に復帰せしめる再閉路機能付回路遮断器に関する。特に，無人基地等に設置し，回路遮断器の不要動作時に自動的に電路を再閉路するための再閉路機能付回路遮断器に関する。
【背景技術】
【０００２】
再閉路機能付回路遮断器は，通常無人基地等に設けられ，回路遮断器が過電流や漏電電流，雷サージ等により開路動作した場合に自動的に電路を閉路せしめるよう回路遮断器に設けられた操作ハンドルに作用し閉路動作を行うよう動作するものである。
その構造は図８に示した特許文献１（特開２００３−２９７２１７）の図１に記載されているように，電路に接続された回路遮断器と，該回路遮断器の操作ハンドルにハンドル作用部を介して連結され，回路遮断器が開路動作した場合には操作ハンドルに作用し電路を閉路状態に動作せしめる再閉路手段とを含んで構成されていた。
再閉路手段のハンドル作用部の動作にはモーター部，歯車，シャフト等を用いた動作機構が使用され，該モーター部により歯車，シャフトを駆動させハンドル作用部を操作ハンドルに作用させて電路を閉路するよう動作させるものが公知である。
【０００３】
また，図９に示した特許文献２（特開２００３−３２８７４）の図１に示されたように，配線用遮断器に取り付け，配線用遮断器のトリップ時に配線用遮断器を自動的に再投入する自動再投入装置が開示されている。該再投入装置は投入制御装置１と電動操作機構２から構成されており，電動操作機構２により遮断器３のハンドルを操作して遮断器３を投入するようにしてあるものである。
該投入制御装置の電路における配線は，電路に介在する遮断器３の一次側（電源側）に，投入制御装置１に備えられる電源回路１０を接続線を介して接続して電源を取得するとともに，該接続線の途中から，電動操作機構２の電源を取得するよう接続が行われるように設けられている。
【０００４】
また，このような再閉路機能付回路遮断器においては，電力の需要の見込みが低いと予想される山間部などで使用されることがあり，変電所からの高圧配電線（６６００Ｖ配電線）が敷設されている電柱から，該電柱に設けられる柱上変圧器により降圧して配電される配電路に介在するように設けられる。該配電路は山間部などに使用され，線路長が長くなるため，電圧降下の影響を受けにくい４００Ｖ配電が用いられる。図１０に電路における再閉路機能付回路遮断器の配線接続図を示した。
【０００５】
図１０に示したように，再閉路機能付回路遮断器は図中の点線で示された部分である。該再閉路機能付回路遮断器の一次側には高圧配電線から降圧するための変圧器が設けられており，二次側には住宅等に配電を行うために１００Ｖもしくは２００Ｖに降圧するための変圧器が設けられる配線となっている。
【０００６】
高圧配電線からの降圧に関しては，高圧配電線（６６００Ｖ）が敷設されている電柱に，柱上変圧器（６６００Ｖ／２００Ｖ）を２個設け，この第一変圧器及び第二変圧器の電圧入力側を電路に並列に接続するとともに，出力側を直列に接続することにより，出力側の両端の電圧が４００Ｖになるように接続を行っている。
【０００７】
なお，第一変圧器と第二変圧器の電圧出力側の接続点はアースされている。また，第一変圧器には１００Ｖ用の出力端子が設けられており，該アース点と，第一変圧器の１００Ｖ用の出力端子から再閉路手段への制御電源を取得している。即ち，再閉路機能付回路遮断器には，電路の入線及び出線に加えて，制御電源線を引き込むことが必要となり，合わせて３つの経路の電線を引き込み／引き出しする必要があった。また，再閉路機能付回路遮断器の設置にあたっては，基地局において専用の分電盤を設けてその中に設置を行っていた。
【特許文献１】特開２００３−２９７２１７  （第１図）
【特許文献２】特開２００３−３２８７４  （第１図）
【発明の開示】
【発明が解決しようとする課題】
【０００８】
しかしながら，従来の再閉路機能付回路遮断器における電路への配線においては，上記のように配線していたため，実際の柱上における配線作業時において，４００Ｖの配電線の入線及び出線に加えて制御電源線を結線する必要が生じるため配線作業が煩雑となっていた。また，配線作業が煩雑であるために，作業中の感電の可能性や，誤配線などを引き起こす可能性があった。
【０００９】
誤配線の可能性として，場合によっては，誤って第一変圧器のアース点とは異なる他端，即ち２００Ｖ電源出力側の端子と，１００Ｖ用出力端子に制御電源線を結線してしまう場合があった（図１１）。この場合，結果としてアースと，アースとは別に制御用電源線が接続されて配線されてしまい，このように誤って配線された場合には，例えば雷サージ等により制御電源線に誘導電圧が生じた場合，アースと１００Ｖ出力線，もしくはアースと２００Ｖ出力線の間に誘導電流が発生し，再閉路手段に過大な電流が流れて再閉路機能付回路遮断器が不要動作したり，場合によっては制御回路が故障してしまう可能性があった。
【００１０】
また，再閉路機能付回路遮断器の取付けにあたっては，専用の分電盤を設けていたため，取り付けにかかる附帯コストが増加するとともに，取付けスペースの確保が新たに必要となるとともに作業が煩雑になるという課題があった。
【００１１】
そこで本件の発明は，このような実情に鑑みてなされたものであり，電路における再閉路機能付回路遮断器の設置にあたり，電路への配線接続を簡易なものとして，配線作業性，取付け作業性を向上させるとともに，配線間違いに起因する不要動作の発生や故障を防止することが可能な再閉路機能付回路遮断器を提供することを目的としている。
【課題を解決するための手段】
【００１２】
本発明の再閉路機能付回路遮断器は，
電路に介在し，ケースと，ケースの開口部を覆うよう開閉自在に取付けられる扉とからなる筐体に，
電路を構成する電線の入線孔及び出線孔を設け，
該筐体内には該入線孔から入線される電線と，出線孔から出線される電線の各々の端部を接続する端子部を有するとともに，電路を入切する接点装置と，該接点装置に作用し接点装置の開閉操作を行う開閉機構と，開閉機構に作用し接点装置の開閉操作を行う操作部を有する操作ハンドルと，開閉機構と連動し接点装置の開閉状態及び開閉機構の入または切及びトリップ状態を検出する補助スイッチからなる動作状態検出手段と，を含んで構成される回路遮断器と，
該回路遮断器が電路に流れる異常電流や漏電電流もしくは雷サージ等により，該回路遮断器の接点開動作により電路が開路した場合に，前記動作状態検出手段から出力される出力信号を受けて再び回路遮断器の接点装置を閉状態にせしめるよう前記操作ハンドルに作用し再閉路動作を行うハンドル作用部が設けられ，
該ハンドル作用部の動作を制御する制御部においては，
前記筐体内において電路に接続され電源を取得する電源部と，
該電源部から電源を取得するよう接続されるとともに前記ハンドル作用部を駆動するよう設けられ該ハンドル作用部に作用するモーター部と，
該電源部から電源を取得するよう接続され前記動作状態検出手段から出力される出力信号を受信するとともに，予め設定された所定の動作条件に合致する場合には操作ハンドルに作用するハンドル作用部を駆動するモーター部に駆動信号を出力する演算部と，
を含んでなる回路遮断器再投入手段と，
から構成されること
を特徴とした再閉路機能付回路遮断器である。
【００１３】
このような構成によれば，回路遮断器再投入手段にかかる電源は筐体内に設けられた電源部から一括して供給する構造とし，さらに，電源部の一次側の電路への接続は筐体内で行われる構造としたたために，例えば高圧配電線（６６００Ｖ）が敷設されている電柱に設けられる柱上変圧器（６６００Ｖ／２００Ｖ）に制御電源の配線接続を行う必要がなくなり作業性の安全が確保できるとともに，筐体内で全ての配線が行えることから配線作業を容易に行うことができ，配線の間違いを防止することが可能となり，ひいては再閉路機能付回路遮断器の不要動作を防止することができるものである。
【００１４】
前記再閉路機能付回路遮断器は，４００Ｖ配電路に介在して設けられることを特徴とする再閉路機能付回路遮断器であってもよい。
このようにすれば，山間部などの配電に用いられる４００Ｖ配電路において，再閉路機能付回路遮断器の設置時における配線作業性をより一層向上させることが可能とできるとともに，再閉路機能付回路遮断器の不要な動作を防止でき，山間部などでの配電においてより安定した電力の配電を行うことができる。
【００１５】
また，再閉路機能付回路遮断器の筐体の背面には，柱体に再閉路機能付回路遮断器を取付ける柱体取付け手段を設け，柱体に取付けられて使用されることを特徴として請求項１記載，又は請求項２記載の再閉路機能付回路遮断器を設けてもよい。
このようにすれば，再閉路機能付回路遮断器の取付施工時において，配線作業の簡略化に加えて，取付にかかる施工の簡略化も行え，更なる利便性をもたらすことができる。
【発明の効果】
【００１６】
本発明の再閉路機能付回路遮断器は，
電路に介在し，ケースと，ケースの開口部を覆うよう開閉自在に取付けられる扉とからなる筐体に，
電路を構成する電線の入線孔及び出線孔を設け，
該筐体内には該入線孔から入線される電線と，出線孔から出線される電線の各々の端部を接続する端子部を有するとともに，電路を入切する接点装置と，該接点装置に作用し接点装置の開閉操作を行う開閉機構と，開閉機構に作用し接点装置の開閉操作を行う操作部を有する操作ハンドルと，開閉機構と連動し接点装置の開閉状態及び開閉機構の入または切及びトリップ状態を検出する補助スイッチからなる動作状態検出手段と，を含んで構成される回路遮断器と，
該回路遮断器が電路に流れる異常電流や漏電電流等により，該回路遮断器の接点開動作により電路が開路した場合に，前記動作状態検出手段から出力される出力信号を受けて再び回路遮断器の接点装置を閉状態にせしめるよう前記操作ハンドルに作用し再閉路動作を行うようハンドル作用部が設けられ，
該ハンドル作用部の動作を制御する制御部においては，
前記筐体内において電路に接続され電源を取得する電源部と，
該電源部から電源を取得するよう接続されるとともに前記ハンドル作用部を駆動するよう設けられ該ハンドル作用部に作用するモーター部と，
該電源部から電源を取得するよう接続され前記動作状態検出手段から出力される出力信号を受信するとともに，予め設定された所定の動作条件に合致する場合には操作ハンドルに作用するハンドル作用部を駆動するモーター部に駆動信号を出力する演算部と，
を含んでなる回路遮断器再投入手段と，
から構成されることを
を特徴とした再閉路機能付回路遮断器であるので，
筐体内において，配線の接続を全て行うことが可能であり，従来のように，柱上変圧器に制御用電源線を接続する必要がなく，
電路における再閉路機能付回路遮断器の設置にあたり，電路への配線接続を簡易なものとして，配線作業性，取付け作業性を向上させるとともに，配線間違いに起因する不要動作の発生や故障を防止することが可能な再閉路機能付回路遮断器を提供することができる。
【発明を実施するための最良の形態】
【００１７】
以下に本件発明の最良の実施の形態に係る再閉路機能付回路遮断器について，図面を参照しつつ詳細に説明する。
【００１８】
図１は本発明の再閉路機能付回路遮断器の外観斜視図を示したもので，図２は該再閉路機能付回路遮断器の取付け状態を示す柱体への取付け図を示したものである。また，図３は再閉路機能付回路遮断器の内部構造図を示したものである。
【００１９】
これらの図に示されるように，筐体１は機器を配設するケース１１と該ケース１１の開口部を覆うように蝶番機構により開閉自在に取付けられた扉１２とから構成されている。
【００２０】
また，ケース１２の下部には電源側電線１５を引き込むための入線孔１３と，負荷側電線１６を引き出すための出線孔１４が設けられ，それぞれ，ケース１２内に電源側電線１５，負荷側電線１６を貫通配置されるように構成されている。入線孔１３と，出線孔１４にはケース１２内の防水のため樹脂製のパッキンが取付けられている。
【００２１】
図２において，筐体１の背面，即ち柱体１８に取付けられる面には柱体取付手段１７が設けられている。該柱体取付手段１７は筐体１を柱体１８に取付けるためのもので，柱体に充てがう柱体充てがい部１７１と，柱体に巻き付け対象物を取付け固定するための自在バンド１９を貫通挿入させるための自在バンド貫入部１７２が設けられて構成されている。
【００２２】
図３においては，再閉路機能付回路遮断器の内部構造図を示しており，ケース１１内への機器の配置を示している。ケース１１内には，電路に介在するように回路遮断器２０を配設するとともに，回路遮断器の再投入手段を配設している。
【００２３】
回路遮断器２０は本実施の形態においては漏電遮断器を用いており，回路遮断器２０は基台とカバーとからなり絶縁性を有した筐体を有しており，該筐体内には電路を入切する複数の接点装置と，該接点装置に作用して接点装置の開閉操作を行う開閉機構部と，該開閉機構部に作用して接点装置の開閉操作を行うとともに，筐体の外部に突出した操作部を有する操作ハンドル２３が備えられ，筐体の両端には電路と接続を行うための電源側接続端子部２１及び負荷側接続端子部２２が設けられている。
【００２４】
また，回路遮断器２０の筐体内には前記開閉機構部と連動し接点装置の開閉状態及び開閉機構の入または切及びトリップ状態を検出するマイクロスイッチを用いて構成された補助スイッチからなる動作状態検出手段２４が設けられている。
【００２５】
該動作状態検出手段２４に用いられるマイクロスイッチは常には該マイクロスイッチの接点が開いて回路的にオープン状態となっているもので，マイクロスイッチの接点と連動するように設けられる操作片（図示しない）が押圧されて該マイクロスイッチの接点が閉じられた場合には回路的にクローズ状態となるものである。
【００２６】
マイクロスイッチの前記操作片と回路遮断器２０の開閉機構は連動部材（図示しない）を用いて開閉機構部と接続され，該開閉機構部の動きを操作片に伝達するようになっており，接点装置が開状態になった場合に，連動部材が操作片を押圧しマイクロスイッチの接点を閉じて回路的にクローズ状態を作り出し，接点装置が閉状態になった場合には，連動部材が操作片を押圧しなくなり，マイクロスイッチの接点が開き，回路的にオープン状態を作り出す。
【００２７】
このため，動作状態検出手段２４は，回路遮断器２０の接点装置が開状態になった場合にはマイクロスイッチの接点が閉じられて，オープン状態からクローズ状態に状態が変位し，この状態の変化を出力信号として外部に出力する。
【００２８】
入線孔１３から引き込まれた電源側電線１５は，前記回路遮断器２０の電源側接続端子部２１に接続される。回路遮断器２０の負荷側接続端子部２２には負荷側電線１６が接続され出線孔１４から筐体外部に引き出される。
【００２９】
電路における通電は，回路遮断器２０によりその操作ハンドル２３を操作して回路遮断器の入切操作を行うことにより，電路における通電を入切させることができる。
【００３０】
また，ケース１１内には回路遮断器の再投入手段３０が配設されている。該再投入手段３０は，大きくは，制御部３００と，駆動部３１０と，変圧部３２０とから構成されている。
【００３１】
制御部３００は，回路遮断器２０に対して再投入動作を行うかどうかを判断し，予め定められた所定の条件に合致する場合には再投入動作を行うよう駆動部に動作信号を送出するものである。
【００３２】
駆動部３１０は，前記制御部３００から動作信号を受けて駆動し，回路遮断器２０の操作ハンドル２３に作用して回路遮断器２０を再投入させるものである。
【００３３】
変圧部３２０は，その電源側が回路遮断器２０の電源側接続端子部２１に接続されるとともに，負荷側が制御部３００に接続され，電路の電圧を変圧し，制御部に適した電圧に降圧するものである。具体的には，電路の交流電圧（ＡＣ４００Ｖ）を変圧器により，制御部の制御電源に適した交流電圧（ＡＣ１００Ｖ）に降圧する。
【００３４】
まず，図４を用いて，制御部３００について説明を行う。図４は本発明の再閉路機能付回路遮断器のブロック図を示したものである。
【００３５】
制御部３００は，前記変圧部３２０の負荷側に設けられ制御部３００への電源供給を入切する制御電源スイッチ３２１を介して交流電源（ＡＣ１００Ｖ）を供給される。制御電源スイッチ３２１から供給される交流電源は，制御電源部３０１に入力され，該制御電源部３０１にて制御回路に用いる直流電圧（ＤＣ１２Ｖ）に変圧される。
また，制御部３００には，再投入動作を行うかどうかを判断制御するマイコンからなる演算部３０２と，駆動部３１０に電源を供給するためのリレー３０３が備えられており，該演算部３０２及びリレー３０３は制御電源部３０１に電気的に接続されて電源の供給を受ける。
【００３６】
演算部３０２は回路遮断器２０の動作状態検出手段２４に設けられるマイクロスイッチと信号線で接続されており，該マイクロスイッチの接点の開閉に合わせた回路のオープン状態もしくはクローズ状態の変化を該信号線を通じて取得できるようになっている。これにより，所定の条件を，回路がオープン状態からクローズ状態に変化した場合には，回路遮断器２０の接点装置が閉状態から開状態になったと判断し，再投入動作を行う駆動信号を送出するよう定めてプログラムしておけば，マイクロスイッチの接点が閉じた場合には，再投入動作を行うための駆動信号を送出させることができる。
【００３７】
また，演算部３０２とリレー３０３は信号線で電気的に接続されており，演算部３０２において予め定めた所定の条件に合致したと判断した場合には，演算部３０２から再投入動作を行うための駆動信号が送出され，リレー３０３に入力されリレー回路が駆動されて駆動部に制御電源部３０１からの電源が供給される。また，演算部３０２には，初回再投入動作を行った後，回路遮断器２０が即遮断した場合（本実施例においては０．２秒以内に遮断した場合）には，以後の再投入動作を停止（ロック機能による保護動作）するようにプログラムが組まれており，回路遮断器２０が正常に動作する状況，例えば過電流や短絡もしくは漏電電流が継続しているような場合には電路の保護や感電事故による人体の保護を行うことができるよう設けられている。このように，再投入動作を停止した場合，即ちロック機能による保護動作が働いた場合には，再閉路機能付回路遮断器を設置してある現場に要員が出向き，保護動作が行われた原因を調査するとともに，ロック機能を解除して再閉路機能付回路遮断器をリセットする。
【００３８】
次に図３と図５を用いて，駆動部３１０について説明を行う。図５は駆動部を側面からみた図である。駆動部３１０は，駆動用モーター３１１と，該駆動用モーター３１１に固定された回転板３１２と，該回転板３１２と一端が接続部３１２１を介して接続される連結アーム３１３と，該連結アーム３１３の他端と回転軸受３１４を介して接続されるアーム３１６と，該アーム３１６に固定され操作ハンドル２３に作用する作用部３１５を含んで構成されている。
【００３９】
駆動用モーター３１１は，リレー３０３と接続されており，演算部３０２から再投入動作を行うための駆動信号が送出され，該リレー３０３が動作し，制御電源部３０１から電源が供給された場合に駆動を行う。
【００４０】
次に，再閉路機能付回路遮断器の動作について説明を行う。
通常，駆動部３１０は回路遮断器２０の操作ハンドル２３と，図５（ａ）のような位置関係になっている（待機状態）。回路遮断器２０の操作ハンドル２３は入の位置にある。
【００４１】
さて，電路に流れる異常電流（過電流や短絡電流）や漏電電流もしくは雷サージにより，回路遮断器２０が動作を行い，接点装置が開の状態になった場合，開閉機構部と連動する動作状態検出手段に設けられるマイクロスイッチの接点が閉じられ回路的にクローズ状態になったことが信号線を通じて制御部３００の演算部３０２に入力される。このときには，回路遮断器２０の操作ハンドル２３は切の位置，即ち図５（ｂ）のような位置関係になっている。
【００４２】
入力を受けた演算部３０２はプログラムされた内容に基づき判断処理を行い，再投入動作を行うための駆動信号をリレー３０３に向けて送出する。
【００４３】
該駆動信号を受けたリレー３０３はリレー接点を閉じ，制御電源部３０１から供給される電源を駆動部３１０の駆動用モーター３１１に供給する。
【００４４】
電源供給を受けた駆動用モーター３１１は回転を始める（図６）。これにより，該駆動用モーター３１１に固定されている回転板３１２も図中矢印の方向に回転を行い始め，接続部３１２１を介して接続された連結アーム３１３は図中の左方向に円弧を描くように押し出される。
【００４５】
該連結アーム３１３の動作に連動して，アーム３１６は一端に設けられたアームの回転軸受３１４を介して，アームの回動中心３１６１を中心として図中左方向に円弧を描くように移動を行い，アームに設けられたハンドル作用部３１５も同じく図中左方向に移動を行う。
【００４６】
アーム３１６の動きに伴いハンドル作用部３１５は操作ハンドル２３を回路遮断器２０を閉路する方向に押し動かし，回路遮断器２０を入りの状態にする。
【００４７】
さらに駆動用モーター３１１が回転を続けると回転板３１２の回転により，接続部３１２１は図６において点線で示した矢印の方向に下向きの円弧軌跡を描くよう移動し，これにより連結アーム３１３は図の右方向に引かれるように動作し，アーム３１６及びハンドル作用部３１５は図の右方向（操作ハンドル２３から離れる方向）に動作する。この場合，操作ハンドル２３には干渉しない干渉せずに動作を行うため，操作ハンドル２３は閉路位置（入位置）に停止したままである。
【００４８】
回転板３１２が一回転し，元の位置にまで回転を行うと，演算部は駆動信号を送出することを止め，再び待機状態になる。
【００４９】
即ち，回路遮断器２０の操作ハンドル２３が閉路位置（入位置）にある場合には回路遮断器の再投入手段が一連の動作を行っても回路遮断器２０の動作には影響せず，操作ハンドル２３が切位置にあるときにのみ，該操作ハンドルに作用を行うように動作する。
【００５０】
次に，図７を用いて，配電線路における本発明の再閉路機能付回路遮断器の接続について説明を行う。
【００５１】
図７には，山間部等で用いられる配線長が長くなる場合においても電圧降下の影響を受けにくい４００Ｖ配電線路４２が，高圧配電線路４１（６６００Ｖ）と低圧配電線路４３（１００／２００Ｖ）の間に用いられる配電線路の例を示している。
【００５２】
高圧配電線路４１で配電される６６００Ｖの電圧を４００Ｖで配電する４００Ｖ配電線路４２用に降圧するために，高圧配電線路４１から分岐される柱体に第一変圧器４１１（６６００／２００Ｖ）と，第二変圧器４１２（６６００／２００Ｖ）が設けられる。これら第一変圧器４１１と，第二変圧器４１２の電源側は高圧配電線路４１に並列に設けられる。また負荷側については，第一変圧器と第二変圧器とが直列になるよう接続され，合計の出力電圧が４００Ｖとなるように接続される。変圧器を２個用いることで，小型の変圧器を利用することができ，柱体への設置を簡易なものとしている。
【００５３】
４００Ｖ配電線路４２において，その線路上には本発明の再閉路機能付回路遮断器が設置される。設置に当たっては，電路の電源側となる電線を筐体１の入線孔に引き込み，負荷側となる電線を出線孔に挿入して回路遮断器２０の電源側及び負荷側の接続端子部と接続する。このとき，電源側接続端子部においては，回路遮断器の再投入手段３０の制御電源を取得するために，変圧部３２０の電源側と電線にて共締めを行うよう接続を行う。
【００５４】
４００Ｖ配電線路は需要家の付近まで敷設され，需要家の付近にて，変圧器にて４００Ｖから１００／２００Ｖに降圧され，１００／２００Ｖ配電線路４３が需要家まで引き込まれるように配電される。
【００５５】
なお，本発明は，実施の形態に限定されることなく，発明の要旨を逸脱しない限りにおいて，適宜，必要に応じて，改良や設計変更は自由であり，例えば，電路の交流電圧（ＡＣ４００Ｖ）を筐体１内で降圧する場合において，制御回路の動作に用いる直流電圧（ＤＣ１２Ｖ）に直接変換する変圧器を用いて構成してもよい。このように構成することで，制御電源部３０１においてＡＣ１００ＶをＤＣ１２Ｖに変圧する必要が不要となり，筐体内における変圧器の個数を一つ減らすことができ，再閉路機能付回路遮断器のコストの削減を行うことが可能である。
【００５６】
また，演算部３０２において，回路遮断器２０の再投入時に即遮断した場合には以後の再投入動作を停止するよう保護動作が行われた場合には，再閉路機能付回路遮断器が設置されている現場まで要員が出向き，再閉路機能付回路遮断器の保護動作を解除して再度再投入動作が行えるようにリセットする必要があるが，このリセット操作を行うリセット部を筐体１の外側に引き出し，通常再閉路機能付回路遮断器が設置されている柱上の上部から，要員が操作し易いよう柱上の中程の部分にリセット部を設置することにより，雨中や雪中等悪環境の中においても，現地に出向いた要員がリセット操作し易いように再閉路機能付回路遮断器を設けることが可能になる。
【００５７】
さらに，回路遮断器再投入手段３０は，筐体内において該階路遮断器再投入手段の配設，電源取得が完結するユニットとなっているため，雷サージや経年による劣化などにより回路遮断器再投入手段が故障してしまった場合において，該ユニットを交換取替えすることにより，柱上トランスの配線接続作業の必要性や，筐体そのものの取替えの必要性がなく，簡単に再閉路機能の復元を行うことが可能である。
【産業上の利用可能性】
【００５８】
本発明の再閉路機能付回路遮断器は，配電線路に介在させ，再閉路手段の駆動電源を取得するために，筐体内に電路電線以外の電線を引き込む必要がないため，４００Ｖ配電線路以外の配電線路においても，再閉路機能を付加した回路遮断器を設置したい場合などには簡易に設置が行え，再閉路機能付回路遮断器の用途が拡大でき，回路遮断器の不要動作時における人手での再投入作業にかかるコストを低減できる可能性がある。
【図面の簡単な説明】
【００５９】
【図１】本発明の実施の形態に係る再閉路機能付回路遮断器の外観構造図である。
【図２】同再閉路機能付回路遮断器を柱体に取付けた図である。
【図３】同再閉路機能付回路遮断器の内部構造図である。
【図４】同再閉路機能付回路遮断器のブロック構成図である。
【図５】同再閉路機能付回路遮断器の駆動部の説明図である。
【図６】同再閉路機能付回路遮断器の駆動を説明した図である。
【図７】同再閉路機能付回路遮断器の配電線路における説明図である。
【図８】従来例を示した図である。
【図９】従来例を示した図である。
【図１０】従来例を示した図である。
【図１１】従来例を示した図である。
【符号の説明】
【００６０】
１  筐体
１１  ケース
１２  扉
１３  入線孔
１４  出線孔
１５  電源側電線
１６  負荷側電線
１７  柱体取付手段
１７１  柱体充てがい部
１７２  自在バンド貫入部
１８  柱体
１９  自在バンド
２０  回路遮断器
２１  電源側接続端子部
２２  負荷側接続端子部
２３  操作ハンドル
２４  動作状態検出手段
３０  回路遮断器の再投入手段
３００  制御部
３０１  制御電源部
３０２  演算部
３０３  リレー
３１０  駆動部
３１１  駆動用モーター
３１２  回転板
３１３  連結アーム
３１４  回転軸受
３１５  ハンドル作用部
３１６  アーム
３１６１  回動中心
３１２１  接続部
３２０  変圧部
３２１  制御電源スイッチ
４１  高圧配電線路
４１１  第一変圧器
４１２  第二変圧器
４２  ４００Ｖ配電線路
４２１  ４００／１００・２００Ｖ変圧器
４３  １００／２００Ｖ配電線路
【図１】
2006156070.tif 000003
【図２】
2006156070.tif 000004
【図３】
2006156070.tif 000005
【図４】
2006156070.tif 000006
【図５】
2006156070.tif 000007
【図６】
2006156070.tif 000008
【図７】
2006156070.tif 000009
【図８】
2006156070.tif 000010
【図９】
2006156070.tif 000011
【図１０】
2006156070.tif 000012
【図１１】
2006156070.tif 000013